(57)【特許請求の範囲】
【請求項１】
基板に凹状の成育部を複数並設して構成される植物成育用容体を洗浄する為の洗浄装置であって、装置本体に駆動回転自在に設けられた軸に前記植物成育用容体を洗浄するブラシ体を放射状に突設した回転ブラシと、この回転ブラシ若しくは該回転ブラシの近傍に設けられる散水体と、前記装置本体の容体導入部から前記成育部が下方を向く状態で導入された前記植物成育用容体を支持する容体支持体とを有し、前記回転ブラシは前記容体支持体の下方に設けられており、また、前記回転ブラシは前記植物成育用容体の搬送方向に複数設けられ、また、前記容体支持体は、前記植物成育用容体を支持する支持部材を該植物成育用容体の搬送方向に複数設けた構成であり、前記支持部材夫々は所定長さにして所定巾の板材であり、前記支持部材夫々には前記回転ブラシの前記ブラシ体を突出せしめる窓孔が形成されており、前記回転ブラシは、駆動回転して前記ブラシ体が前記容体支持体で支持された前記植物成育用容体の前記成育部の内部に係止し前記植物成育用容体を押圧して該植物成育容体を搬送するように構成されており、上流側の前記支持部材の前記窓孔を構成する側縁の延長線と、下流側の前記支持部材の前記窓孔を構成する側縁の延長線とは同一直線状とならない位置関係に設定され、上流側に位置する一の回転ブラシで洗浄不能となった部位を、この一の回転ブラシの下流側に位置する他の回転ブラシで洗浄し得るように構成されていることを特徴とする植物成育用容体の洗浄装置。
【請求項２】
基板に凹状の成育部を複数並設して構成される植物成育用容体を洗浄する為の洗浄装置であって、装置本体に駆動回転自在に設けられた軸に前記植物成育用容体を洗浄するブラシ体を放射状に突設した上下一対の回転ブラシと、この回転ブラシ若しくは該回転ブラシの近傍に設けられる散水体と、前記装置本体の容体導入部から前記上下一対の回転ブラシ同士間に前記成育部が下方を向く状態で導入された前記植物成育用容体を支持する容体支持体とを有し、前記下部回転ブラシは前記容体支持体の下方に設けられており、前記上下一対の回転ブラシは前記植物成育用容体の搬送方向に複数設けられ、また、前記容体支持体は、前記植物成育用容体を支持する支持部材を該植物成育用容体の搬送方向に複数設けた構成であり、前記支持部材夫々は所定長さにして所定巾の板材であり、前記支持部材夫々には前記下部回転ブラシの前記ブラシ体を突出せしめる窓孔が形成されており、前記上下一対の回転ブラシのうちの下部回転ブラシは、駆動回転して該ブラシ体が前記容体支持体で支持された前記植物成育用容体の前記成育部の内部に係止し前記植物成育用容体を押圧して該植物成育用容体を搬送するように構成され、更に、前記上下一対の回転ブラシのうちの上部回転ブラシは、駆動回転して該ブラシ体が前記容体支持体で支持された前記植物成育用容体の前記成育部に係止し前記植物成育用容体を押圧して該植物成育用容体を搬送するように構成されており、上流側の前記支持部材の前記窓孔を構成する側縁の延長線と、下流側の前記支持部材の前記窓孔を構成する側縁の延長線とは同一直線状とならない位置関係に設定され、上流側に位置する一の下部回転ブラシで洗浄不能となった部位を、この一の下部回転ブラシの下流側に位置する他の下部回転ブラシで洗浄し得るように構成されていることを特徴とする植物成育用容体の洗浄装置。
【請求項３】
請求項１，２いずれか１項に記載の植物成育用容体の洗浄装置において、前記支持部材は金属製であることを特徴とする植物成育用容体の洗浄装置。
【請求項４】
請求項１〜３いずれか１項に記載の洗浄装置において、前記回転ブラシは正逆回転自在に設けられていることを特徴とする洗浄装置。
【請求項５】
請求項１〜４いずれか１項に記載の洗浄装置において、前記装置本体には移動用車輪が設けられていることを特徴とする洗浄装置。
【発明の詳細な説明】
【０００１】
【発明の属する技術分野】
本発明は、植物成育用容体の洗浄装置に関するものである。
【０００２】
【従来の技術及び発明が解決しようとする課題】
従来から、例えばキャベツやレタスやトマトなどの野菜の種子を発芽させて苗になるまで成育させる場合には、土を入れて種子を配設し得る成育部を複数並設して構成された植物成育用容体（通称セルトレー）が一般的に使用されており、この植物成育用容体は成育部で発芽した苗を畑に移植した後、付着した土や泥などの汚れを洗浄し再利用される。
【０００３】
ところで、この植物成育用容体を洗浄する作業を手作業で行っていたのでは極めて作業能率が悪く、よって、この植物成育用容体の洗浄を機械作業で行えるようにした洗浄装置はこれまで種々提案されているが、未だ植物成育用容体を良好に搬送し且つ洗浄できるものはなく、よって、ユーザーが満足できる洗浄装置は提案されていないのが現状である。
【０００４】
本発明は、上述の問題点を解決する植物成育用容体の洗浄装置を提供するものである。
【０００５】
【課題を解決するための手段】
添付図面を参照して本発明の要旨を説明する。
【０００６】
基板１ａに凹状の成育部１ｂを複数並設して構成される植物成育用容体１を洗浄する為の洗浄装置であって、装置本体６に駆動回転自在に設けられた軸２に前記植物成育用容体１を洗浄するブラシ体３を放射状に突設した回転ブラシ４と、この回転ブラシ４若しくは該回転ブラシ４の近傍に設けられる散水体11と、前記装置本体６の容体導入部６ａから前記成育部１ｂが下方を向く状態で導入された前記植物成育用容体１を支持する容体支持体８とを有し、前記回転ブラシ４は前記容体支持体８の下方に設けられており、また、前記回転ブラシ４は前記植物成育用容体１の搬送方向に複数設けられ、また、前記容体支持体８は、前記植物成育用容体１を支持する支持部材５を該植物成育用容体１の搬送方向に複数設けた構成であり、前記支持部材５夫々は所定長さにして所定巾の板材であり、前記支持部材５夫々には前記回転ブラシ４の前記ブラシ体３を突出せしめる窓孔５ａが形成されており、前記回転ブラシ４は、駆動回転して前記ブラシ体３が前記容体支持体８で支持された前記植物成育用容体１の前記成育部１ｂの内部に係止し前記植物成育用容体１を押圧して該植物成育容体１を搬送するように構成されており、上流側の前記支持部材５の前記窓孔５ａを構成する側縁の延長線Ｌ１と、下流側の前記支持部材５の前記窓孔５ａを構成する側縁の延長線Ｌ２とは同一直線状とならない位置関係に設定され、上流側に位置する一の回転ブラシ４で洗浄不能となった部位を、この一の回転ブラシ４の下流側に位置する他の回転ブラシ４で洗浄し得るように構成されていることを特徴とする植物成育用容体の洗浄装置に係るものである。
【０００７】
また、基板１ａに凹状の成育部１ｂを複数並設して構成される植物成育用容体１を洗浄する為の洗浄装置であって、装置本体６に駆動回転自在に設けられた軸２に前記植物成育用容体１を洗浄するブラシ体３を放射状に突設した上下一対の回転ブラシ４と、この回転ブラシ４若しくは該回転ブラシ４の近傍に設けられる散水体11と、前記装置本体６の容体導入部６ａから前記上下一対の回転ブラシ４同士間に前記成育部１ｂが下方を向く状態で導入された前記植物成育用容体１を支持する容体支持体８とを有し、前記下部回転ブラシ４は前記容体支持体８の下方に設けられており、前記上下一対の回転ブラシ４は前記植物成育用容体１の搬送方向に複数設けられ、また、前記容体支持体８は、前記植物成育用容体１を支持する支持部材５を該植物成育用容体１の搬送方向に複数設けた構成であり、前記支持部材５夫々は所定長さにして所定巾の板材であり、前記支持部材５夫々には前記下部回転ブラシ４の前記ブラシ体３を突出せしめる窓孔５ａが形成されており、前記上下一対の回転ブラシ４のうちの下部回転ブラシ４は、駆動回転して該ブラシ体３が前記容体支持体８で支持された前記植物成育用容体１の前記成育部１ｂの内部に係止し前記植物成育用容体１を押圧して該植物成育用容体１を搬送するように構成され、更に、前記上下一対の回転ブラシ４のうちの上部回転ブラシ４は、駆動回転して該ブラシ体３が前記容体支持体８で支持された前記植物成育用容体１の前記成育部１ｂに係止し前記植物成育用容体１を押圧して該植物成育用容体１を搬送するように構成されており、上流側の前記支持部材５の前記窓孔５ａを構成する側縁の延長線Ｌ１と、下流側の前記支持部材５の前記窓孔５ａを構成する側縁の延長線Ｌ２とは同一直線状とならない位置関係に設定され、上流側に位置する一の下部回転ブラシ４で洗浄不能となった部位を、この一の下部回転ブラシ４の下流側に位置する他の下部回転ブラシ４で洗浄し得るように構成されていることを特徴とする植物成育用容体の洗浄装置に係るものである。
【０００８】
また、請求項１，２いずれか１項に記載の植物成育用容体の洗浄装置において、前記支持部材５は金属製であることを特徴とする植物成育用容体の洗浄装置に係るものである。
【０００９】
また、請求項１〜３いずれか１項に記載の洗浄装置において、前記回転ブラシ４は正逆回転自在に設けられていることを特徴とする洗浄装置に係るものである。
【００１０】
また、請求項１〜４いずれか１項に記載の洗浄装置において、前記装置本体６には移動用車輪15が設けられていることを特徴とする洗浄装置に係るものである。
【００１１】
【発明の作用及び効果】
請求項１記載の発明は、回転ブラシ４の回転により植物成育用容体１は搬送されるとともに、回転ブラシ４は植物成育用容体１に当接し、且つ、この回転ブラシ４若しくは該回転ブラシ４の近傍に設けられた散水体11により散水が行われることで洗浄が行われることになる。
【００１２】
この回転ブラシ４に係るブラシ体３は、少なくとも前記凹状の成育部１ｂ内に届く長さであるから、良好な洗浄が行われ、そして、このブラシ体３は、該凹状の成育部１ｂに係止した際該植物成育用容体１を搬送し得る硬さを有しているから、このブラシ体３が植物成育用容体１を良好に搬送し得る搬送機構にもなり、よって、別途搬送機構を設けなくて済み、それだけコンパクトになり且つ低コストになる。
【００１３】
従って、請求項１記載の発明によれば、植物成育用容体１の搬送は回転ブラシ４の回転により行われることになるため、ブラシ体３が係止される成育部１ｂがあれば確実に搬送が行われ、よって、植物成育用容体１を搬送すること及び奇麗に洗浄することが確実且つ効率良く行えることになる従来にない画期的な植物成育用容体の洗浄装置となる。
【００１４】
また、本発明は、上下一対の回転ブラシ４は植物成育用容体１の搬送方向に複数設けられているから、より一層植物成育用容体１を迅速且つ奇麗に洗浄し得ることになる。
【００１５】
また、本発明は、植物成育用容体１の基板１ａを支持する支持部材５を設けることにより、例えば柔らかい材質の植物成育用容体１であっても回転ブラシ４の回転により変形してしまうようなことはなく良好に（安定的に）その搬送及び洗浄が行われることになり、しかも、各支持部材５の位置関係は、植物成育用容体１が支持部材５により支持されることにより、一の回転ブラシ４で洗浄不能となった部位を該一の回転ブラシ４の下流側に位置する他の回転ブラシ４で洗浄し得るように設定されているから、より一層植物成育用容体１を丁寧且つ奇麗に洗浄し得ることになる。
【００１６】
また、本発明は、植物成育用容体１を支持する支持部材５として所定長さにして所定巾の板材から成る支持部材５を採用したから、植物成育用容体１を確実に支持して回転ブラシ４の回転にも変形させてしまう事なくより一層良好に（安定的に）支持することができ、しかも、支持部材５に係る板材の所定の箇所には回転ブラシ４が露出する窓孔５ａを形成することで、洗浄不能となる部位をそれだけ減らして回転ブラシ４の洗浄機能を良好に発揮せしめられ、植物成育用容体１を確実に支持した状態で回転ブラシ４による搬送及び洗浄が良好に行われることになる。
【００１７】
また、請求項２記載の発明においては、請求項１記載の作用効果に加え、単に植物成育用容体１の一方の面側だけに回転ブラシ４を設けて植物成育用容体１の搬送及び洗浄を行うものではなく、所定の間隔をおいて対設される上下一対の回転ブラシ４により植物成育用容体１の搬送及び洗浄を行構成であり、即ち、上側の回転ブラシ４のブラシ体３は主に植物成育用容体１を搬送する機能を発揮するとともに該植物成育用容体１の基板１ａの裏面及び成育部１ｂの裏面を洗浄する機能をも発揮し、一方、下側の回転ブラシ４のブラシ体３は植物成育用容体１の基板１ａの表面及び成育部１ｂの内部を洗浄する機能を発揮するとともに、植物成育用容体１を搬送する機能をも発揮し、よって、植物成育用容体１の表裏面の基板１ａ並びに成育部１ｂの内部及びその裏面を洗浄し且つ該植物成育用容体１を効率良く搬送し得る従来にない画期的な植物成育用容体の洗浄装置となる。
【００１８】
【発明の実施の形態】
図１〜３は本発明の第一実施例、図４は第二実施例を図示したものであり、以下に説明する。
【００１９】
符号１は基板１ａに凹状の成育部１ｂが縦横に区画並設される合成樹脂製の植物成育用容体（通称セルトレイ）、１ｂ’は成育部１ｂの開口部である。
【００２０】
第一実施例について説明する。
【００２１】
第一実施例は、両端に容体導入部６ａ及び容体導出部６ｂを備えた装置本体６内に、植物成育用容体１を搬送し、且つ、この植物成育用容体１を洗浄する容体搬送洗浄部７を内装した植物成育用容体１の洗浄装置である。
【００２２】
以下、本実施例に係る構成各部について詳細な説明をする。
【００２３】
容体搬送洗浄部７は、装置本体６の内部に架設される回転ブラシ４と、装置本体６内に容体導入部６ａから導入された植物成育用容体１を支持する容体支持体８とで構成されている。
【００２４】
回転ブラシ４は、図１〜３に図示したように軸２の周面にブラシ体３を放射状に突設して構成されており、装置本体６の上方位置に互いに水平となるように４本の上部回転ブラシ４が並設状態に架設され、この上部回転ブラシ４のうち中央２本の上部回転ブラシ４夫々の下方位置に所定間隔をおいて１本づつ下部回転ブラシ４が架設されている。
【００２５】
この４本の上部回転ブラシ４は、夫々駆動モーター９に駆動チェーン10を介して回動自在に接続されており、この上部回転ブラシ４は低速回転を行うことで、主に上下の回転ブラシ４の間に導入された植物成育用容体１をブラシ体３の先端部を成育部１ｂに係止して搬送を行うことを目的として構成され、一方、２本の下部回転ブラシ４は、夫々駆動モーター16に駆動ベルト17を介して正逆回動自在に接続されており、この下部回転ブラシ４は高速回転を行うことで、主に上下の回転ブラシ４の間に導入された植物成育用容体１の成育部１ｂ内をブラシ体３の先端部を成育部１ｂ内に配して洗浄することを目的として構成されている。
【００２６】
また、上部回転ブラシ４のブラシ体３は該凹状の成育部１ｂに係止される長さであって、且つ、該凹状の成育部１ｂに係止した際該植物成育用容体１を搬送し得る硬さを有しており、よって、主に植物成育用容体１を搬送する機能を発揮し且つ植物成育用容体１の裏面の基板１ａ及び成育部１ｂの裏面を洗浄する機能をも発揮するように構成され、一方、下部回転ブラシ４のブラシ体３は前記凹状の成育部１ｂ内に届く長さに設定されており（成育部１ｂの底に届くようにするとより一層良好な洗浄効果が得られる。）、主に植物成育用容体１の表面の基板１ａ及び成育部１ｂの内部を洗浄する機能を発揮し且つ植物成育用容体１を搬送する機能をも発揮するように構成されている。尚、上部回転ブラシ４及び下部回転ブラシ４の回転速度、ブラシ体３の硬さ及び長さは、植物成育用容体１の搬送及び洗浄を両立し得る硬さに適宜設定するものである。
【００２７】
また、装置本体６の容体導入部６ａ側（上流部側）にして回転ブラシ４の近傍位置には、水道20に直に配水管21を介して接続される計２個の散水体11としての水供給ノズル19が設けられ、装置本体６の中央位置、及び装置本体６の容体導出部６ｂ側（下流部側）にして回転ブラシ４の近傍位置には、ポンプ装置14に配水管14ａを介して接続される計４個の散水体11としての高圧噴射ノズル18が設けられている。散水体11としては、回転ブラシ４を構成する軸２に散水機能を持たせるなど、直接回転ブラシ４に散水体11（散水機能）を具備せしめても良い。
【００２８】
容体支持体８は、装置本体６内の容体導入部６ａ側及び容体導出部６ｂ側夫々に配設される左右一組（計４枚）の板状の支持部材５と、この支持部材５夫々の左右垂下片５ｂ間に貫通状態に設けられ、端部を装置本体６に並設状態で架設される６本のローラー体12とで構成されている。
【００２９】
この支持部材５は、図１〜３に図示したように夫々適宜な金属製の部材を所定長さ且つ所定巾となる断面コ字形状に形成して成るものであり、この支持部材５の所定位置には、窓孔５ａが穿設されており、この窓孔５ａは、一対の支持部材５を並設状態で装置本体６内に架設させた際、下部回転ブラシ４の一部を該支持部材５の上面に突出状態にせしめるものである。
【００３０】
また、本実施例では、この容体搬送洗浄部７に係る上流部側の支持部材５の窓孔５ａを構成する左右の桟５ａ’の延長線Ｌ１と、下流部側の支持部材５の窓孔５ａを構成する左右の桟５ａ’の延長線Ｌ２とが容体搬送部の長さ方向の同一直線上とならない異なる位置関係となるように設定されている。従って、支持部材５の桟５ａ’により支持されることで、上流部側の下部回転ブラシ４で洗浄不能となった部位を、下流部側の下部回転ブラシ４で洗浄し得ることになる。
【００３１】
以上の構成からなる容体搬送洗浄部７は、回転ブラシ４間に植物成育用容体１を成育部１ｂの開口部を下方に向けて導入せしめた際、回転する回転ブラシ４のブラシ体３が植物成育用容体１に係る成育部１ｂの表裏面に当接して植物成育用容体１を搬送し、該植物成育用容体１の表裏面の基板１ａ並びに成育部１ｂの内部及びその裏面は支持部材５及びローラー体12で支持された状態で搬送されながら洗浄されることになる。
【００３２】
符号13は排水口、15は装置本体６の移動用車輪である。
【００３３】
以下、本装置を使用しての植物成育用容体１の洗浄方法について説明する。
【００３４】
まず、装置本体６内に容体導入部６ａから植物成育用容体１を成育部１ｂの開口部を下方へ向けて導入すると、容体搬送洗浄部７に係る上流部側の上下の回転ブラシ４の回転により植物成育用容体１は搬送されるとともに、水供給ノズル19から水を散水しながら上下の回転ブラシ４で植物成育用容体１に当接することで洗浄が行われ、続いて、植物成育用容体１は装置本体６の中央位置で高圧噴射ノズル18により高圧水で洗い流されながら容体搬送洗浄部７に係る下流部側へ搬送され、そして、この容体搬送洗浄部７に係る下流部側にて高圧噴射ノズル18から水を高圧噴射しながら上下の回転ブラシ４で植物成育用容体１に当接することで洗浄が行われる。この際、上流部側にて植物成育用容体１を支持していた支持部材５の桟５ａ’により下部回転ブラシ４で洗浄不能となった植物成育用容体１の未洗浄部位は、下流部側の下部回転ブラシ４で洗浄されることになる（尚、必要に応じて回転ブラシ４を逆回転させて植物成育用容体１を奇麗に洗浄するものである。）。
【００３５】
その後、洗浄された植物成育用容体１は装置本体６の容体導出部６ｂから導出されることになる。
【００３６】
本実施例は上述のように構成したから、植物成育用容体１の搬送は回転ブラシ４の回転により行われることになるため、ブラシ体３が係止される成育部１ｂがあれば確実に搬送が行われ、よって、植物成育用容体１を搬送すること及び奇麗に洗浄することが確実且つ効率良く行えることになる。
【００３７】
また、本実施例は、単に植物成育用容体１の一方の面側だけに回転ブラシ４を設けて植物成育用容体１の搬送及び洗浄を行うものではなく、所定の間隔をおいて対設される上下一対の回転ブラシ４により植物成育用容体１の搬送及び洗浄を行い、更に、上側の回転ブラシ４のブラシ体３は該凹状の成育部１ｂに係止される長さであって、且つ、該凹状の成育部１ｂに係止した際該植物成育用容体１を搬送し得る硬さを有している為、主に植物成育用容体１を搬送する機能を発揮するとともに該植物成育用容体１の裏面の基板１ａ及び成育部１ｂの裏面を洗浄する機能をも発揮し、一方、下側の回転ブラシ４のブラシ体３は前記凹状の成育部１ｂ内に届く長さである為、主に植物成育用容体１の表面の基板１ａ及び成育部１ｂの内部を洗浄する機能を発揮するとともに、植物成育用容体１を搬送する機能をも発揮し、よって、植物成育用容体１の表裏面の基板１ａ並びに成育部１ｂの内部及びその裏面を洗浄し且つ該植物成育用容体１を効率良く搬送し得ることになる。
【００３８】
また、本実施例は、上下一対の回転ブラシ４を植物成育用容体１の搬送方向に複数設けたから、より一層植物成育用容体１を迅速且つ奇麗に洗浄し得ることになる。
【００３９】
また、本実施例は、植物成育用容体１の基板１ａを支持する支持部材５を設けることにより、例えば柔らかい材質の植物成育用容体１であっても回転ブラシ４の回転により変形してしまうようなことはなく良好に（安定的に）その搬送及び洗浄が行われることになり、しかも、各支持部材５の位置関係は、植物成育用容体１が支持部材５により支持されることにより、一の回転ブラシ４で洗浄不能となった部位を該一の回転ブラシ４の下流側に位置する他の回転ブラシ４で洗浄し得るように設定されているから、より一層植物成育用容体１を丁寧且つ奇麗に洗浄し得ることになる。
【００４０】
また、本実施例は、植物成育用容体１を支持する支持部材５として所定長さにして所定巾の板材から成る支持部材５を採用したから、植物成育用容体１を確実に支持して回転ブラシ４の回転にも変形させてしまう事なくより一層良好に（安定的に）支持することができ、しかも、支持部材５に係る板材の所定の箇所には回転ブラシ４が露出する窓孔５ａを形成することで、洗浄不能となる部位をそれだけ減らして回転ブラシ４の洗浄機能を良好に発揮せしめられ、植物成育用容体１を確実に支持した状態で回転ブラシ４による搬送及び洗浄が良好に行われることになる。
【００４１】
次に、第二実施例について説明する。
【００４２】
第二実施例は、図４に図示したように回転ブラシ４を全て上下一対の構成としたものである（第一実施例と比べると図４中最も右側及び最も左側の下側にも下部回転ブラシ４が設けられている。）。
【００４３】
従って、装置本体６の中央部だけでなく容体導入部６ａ側及び容体導出部６ｂ側においても植物成育用容体１は上下の回転ブラシ４により挟持状態となる為、バタついたりするなどの挙動が防止され、植物成育用容体１の搬送及び洗浄がより一層良好に行われることになる。
【００４４】
その余は第一実施例と同様である。
【図面の簡単な説明】
【図１】  第一実施例を示す概略動作説明図である。
【図２】  第一実施例を示す概略動作説明図である。
【図３】  第一実施例に係る要部を説明する平断面図である。
【図４】  第二実施例を示す概略動作説明図である。
【符号の説明】
Ｌ１  延長線
Ｌ２  延長線
１  植物成育用容体
１ａ  基板
１ｂ  成育部
１ｂ’開口部
２  軸
３  ブラシ体
５ａ  窓孔
４  回転ブラシ
５  支持部材
６  装置本体
６ａ  容体導入部
８  容体支持体
11  散水体
15  移動用車輪
【図１】
0004575545.tif 000002
【図２】
0004575545.tif 000003
【図３】
0004575545.tif 000004
【図４】
0004575545.tif 000005